(57)【特許請求の範囲】
【請求項１】
自装置が属するグループ内の各プロジェクター装置のプロジェクター装置ＩＤを含むグ
ループ情報を記憶するグループ情報記憶部と、
任意のコンピューターからの接続要求を受けたとき、当該任意のコンピューターのコン
ピューターＩＤを前記グループ情報記憶部に書き込むと共に、当該任意のコンピューター
との接続を確立する接続確立手段と、
前記任意のコンピューターからの接続要求を受けたとき、前記グループ情報記憶部を参
照し、前記グループに属する自装置以外の他のプロジェクター装置に対して接続要求を行
う接続要求手段と、を備えたことを特徴とするプロジェクター装置。
【請求項２】
前記任意のコンピューターからの接続要求を受けたとき、前記グループ情報記憶部に前
記グループ情報が記憶されているか否かを判別するグループ情報判別手段と、
前記グループ情報判別手段により前記グループ情報が記憶されていないと判別された場
合であって、前記接続要求によって前記自装置を含む複数のプロジェクター装置がグルー
プ化された場合、当該グループ内の各プロジェクター装置のプロジェクター装置ＩＤと、
接続要求を行ったコンピューターのコンピューターＩＤと、を、前記グループ情報として
生成するグループ情報生成手段を、さらに備え、
前記グループ情報記憶部は、前記グループ情報生成手段により生成された前記グループ
情報を記憶することを特徴とする請求項１に記載のプロジェクター装置。
【請求項３】
前記グループ情報判別手段により前記グループ情報が記憶されていると判別された場合
、前記任意のコンピューターが接続要求を行っている他のプロジェクター装置が存在する
か否かを判別する接続要求判別手段をさらに備え、
前記接続要求手段は、前記接続要求判別手段により前記他のプロジェクター装置が存在
すると判別された場合、当該他のプロジェクター装置に対しては接続要求を行わないこと
を特徴とする請求項２に記載のプロジェクター装置。
【請求項４】
前記任意のコンピューターから接続切断要求があった場合、前記自装置以外の他のプロ
ジェクター装置に対して接続切断要求を行う接続切断要求手段をさらに備えたことを特徴
とする請求項１ないし３のいずれかに記載のプロジェクター装置。
【請求項５】
前記接続切断要求手段は、グループ情報に複数のコンピューターのコンピューターＩＤ
が含まれている場合であって、当該複数のコンピューターのうちいずれか１のコンピュー
ターから接続切断要求があった場合、前記グループ情報内の当該１のコンピューター以外
の他のコンピューターに対して接続切断要求を行うことを特徴とする請求項４に記載のプ
ロジェクター装置。
【請求項６】
前記接続確立手段は、前記任意のコンピューターと通信を行うＰＣ通信部と、当該ＰＣ
通信部および前記グループ情報記憶部と情報の授受を行う通信制御部と、からなることを
特徴とする請求項４または５に記載のプロジェクター装置。
【請求項７】
前記接続要求手段および前記接続切断要求手段は、前記任意のコンピューターと通信を
行うＰＣ通信部と、前記他のプロジェクターと通信を行うＰＪ通信部と、からなることを
特徴とする請求項４ないし６のいずれかに記載のプロジェクター装置。
【請求項８】
コンピューターと複数のプロジェクター装置との間で接続を確立する接続確立方法であ
って、
前記プロジェクター装置が、
自装置が属するグループ内の各プロジェクター装置のプロジェクター装置ＩＤを含むグ
ループ情報を所定の記憶領域に記憶するグループ情報記憶ステップと、
任意のコンピューターから接続要求を受けたとき、当該任意のコンピューターとの接続
を確立すると共に、前記所定の記憶領域を参照し、前記グループに属する自装置以外の他
のプロジェクター装置に対して接続要求を行う接続要求ステップと、を実行することを特
徴とする接続確立方法。
【発明の詳細な説明】
【技術分野】
【０００１】
本発明は、ネットワークを介してコンピューターと複数のプロジェクター装置とを接続
させて、コンピューターからの出力画像を投写するプロジェクター装置および接続確立方
法に関するものである。
【背景技術】
【０００２】
従来、この種のプロジェクター装置の制御システムとして、単一のコンピューター（制
御装置）とネットワークを介して接続された複数のプロジェクター装置に対し、コンピュ
ーターから同期制御を行うことで、複数のプロジェクター装置から同一の投写画像を一斉
に投写する制御システムが知られている（特許文献１参照）。この制御システムは、コン
ピューターに設けられたプロジェクター管理部によりコンピューターに接続された複数の
プロジェクター装置を検出および登録して、同期制御する複数のプロジェクター装置を認
識する。
【先行技術文献】
【特許文献】
【０００３】
【特許文献１】特開２００６−００３９０３号公報
【発明の概要】
【発明が解決しようとする課題】
【０００４】
ところで、例えば大規模な会議やプレゼンテーションにおいて複数のプロジェクター装
置から同時投写する場合、複数の発表者が個々のコンピューターを使用して順に発表（同
時投写）したいという要望がある。しかし、上記の制御システムでは、複数のコンピュー
ターから、同じ複数のプロジェクター装置に同時投写させる場合、コンピューター毎に当
該複数のプロジェクター装置を検索および登録しなければならないため、接続に手間がか
かるという問題があった。
【０００５】
本発明は、上記の点に鑑み、任意のコンピューターを、複数のプロジェクター装置に対
して容易に接続可能にするプロジェクター装置および接続確立方法を提供することを課題
としている。
【課題を解決するための手段】
【０００６】
本発明のプロジェクター装置は、自装置が属するグループ内の各プロジェクター装置の
プロジェクター装置ＩＤを含むグループ情報を記憶するグループ情報記憶部と、任意のコ
ンピューターからの接続要求を受けたとき、当該任意のコンピューターのコンピューター
ＩＤをグループ情報に書き込むと共に、当該任意のコンピューターとの接続を確立する接
続確立手段と、任意のコンピューターからの接続要求を受けたとき、グループ情報記憶部
を参照し、グループに属する自装置以外の他のプロジェクター装置に対して接続要求を行
う接続要求手段と、を備えたことを特徴とする。
【０００７】
本発明の接続確立方法は、コンピューターと複数のプロジェクター装置との間で接続を
確立する接続確立方法であって、プロジェクター装置が、自装置が属するグループ内の各
プロジェクター装置のプロジェクター装置ＩＤを含むグループ情報を所定の記憶領域に記
憶するグループ情報記憶ステップと、任意のコンピューターから接続要求を受けたとき、
当該任意のコンピューターとの接続を確立すると共に、所定の記憶領域を参照し、グルー
プに属する自装置以外の他のプロジェクター装置に対して接続要求を行う接続要求ステッ
プと、を実行することを特徴とする接続確立方法。
【０００８】
上記の構成によれば、プロジェクター装置が、グループ内の各プロジェクター装置のプ
ロジェクター装置ＩＤを含むグループ情報を記憶しているため、コンピューターは、グル
ープ化されている複数のプロジェクター装置のうち、任意の１台のプロジェクター装置に
接続要求を行うだけで、自動的にグループ内の全てのプロジェクター装置に接続すること
ができる。これにより、コンピューターが、複数のプロジェクター装置に対して同時投写
を行う場合、各プロジェクター装置に対して検索、指定および接続要求を行う必要が無い
ため、迅速且つ容易に複数のプロジェクター装置に接続することができる。
【０００９】
この場合、任意のコンピューターからの接続要求を受けたとき、グループ情報記憶部に
グループ情報が記憶されているか否かを判別するグループ情報判別手段と、グループ情報
判別手段によりグループ情報が記憶されていないと判別された場合であって、接続要求に
よって自装置を含む複数のプロジェクター装置がグループ化された場合、当該グループ内
の各プロジェクター装置のプロジェクター装置ＩＤと、接続要求を行ったコンピューター
のコンピューターＩＤと、を、グループ情報として生成するグループ情報生成手段を、さ
らに備え、グループ情報記憶部は、グループ情報生成手段により生成されたグループ情報
を記憶することが好ましい。
【００１０】
上記の構成によれば、一度、任意の１台のコンピューターから複数のプロジェクター装
置に接続要求を行えば、そのグループ情報をプロジェクター装置に記憶させておくことが
できる。これにより、２台目以降に接続しようとするコンピューターは、グループ内の１
台のプロジェクター装置に対してのみ接続要求を行えば、グループ内の全てのプロジェク
ター装置に接続ができ、他のプロジェクター装置に接続要求をする工程を省くことができ
る。また、各プロジェクター装置に予めグループ情報を記憶させておく必要がないため、
最初の１台のコンピューターからの接続要求時に、同時投写させたい複数のプロジェクタ
ー装置を自由に選択することができる。
【００１１】
また、グループ情報判別手段によりグループ情報が記憶されていると判別された場合、
任意のコンピューターが接続要求を行っている他のプロジェクター装置が存在するか否か
を判別する接続要求判別手段をさらに備え、接続要求手段は、接続要求判別手段により他
のプロジェクター装置が存在すると判別された場合、当該他のプロジェクター装置に対し
ては接続要求を行わないことが好ましい。
【００１２】
上記の構成によれば、プロジェクター装置は、自装置に接続要求を行ったコンピュータ
ーがグループ内の他のプロジェクター装置に対しても同時に接続要求している場合は、他
のプロジェクター装置に対して接続要求しないため、重複した接続要求を防ぐことができ
る。
【００１３】
一方、任意のコンピューターから接続切断要求があった場合、自装置以外の他のプロジ
ェクター装置に対して接続切断要求を行う接続切断要求手段を、さらに備えていることが
好ましい。
【００１４】
上記の構成によれば、任意の１のコンピューターから接続切断要求を行うことにより、
当該１のコンピューターとグループ内の全てのプロジェクター装置との接続（グループ化
）を解除することができる。
【００１５】
この場合、接続切断要求手段は、グループ情報に複数のコンピューターのコンピュータ
ーＩＤが含まれている場合であって、当該複数のコンピューターのうちいずれか１のコン
ピューターから接続切断要求があった場合、グループ情報内の当該１のコンピューター以
外の他のコンピューターに対して接続切断要求を行うことが好ましい。
【００１６】
上記の構成によれば、任意の１のコンピューターから接続切断要求を行うことにより、
グループ内の全てのコンピューターとグループ内の全てのプロジェクター装置との接続（
グループ化）を解除することができる。
【００１７】
これらの場合、接続確立手段は、任意のコンピューターと通信を行うＰＣ通信部と、当
該ＰＣ通信部およびグループ情報記憶部と情報の授受を行う通信制御部と、からなること
が好ましい。
【００１８】
上記の構成によれば、通信制御部により、コンピューターから受信した当該コンピュー
ターのＩＤ、接続要求およい接続切断要求とグループ情報とを結びつけ、当該コンピュー
ターと、自装置および自装置以外の他のプロジェクター装置との接続を確立することがで
きる。
【００１９】
また、これらの場合、接続要求手段および接続切断要求手段は、任意のコンピューター
と通信を行うＰＣ通信部と、他のプロジェクター装置と通信を行うＰＪ通信部と、からな
ることが好ましい。
【００２０】
上記の構成によれば、ＰＣ通信部およびＰＪ通信部により、任意のコンピューターおよ
び自装置以外の他のプロジェクター装置に対して、接続要求および接続切断要求を送信す
ることができる。
【図面の簡単な説明】
【００２１】
【図１】プロジェクター装置とコンピューターとの接続構成を示す図である。
【図２】（ａ）は、単一のプロジェクター装置との接続操作をする際のコンピューター画面の一例であり、（ｂ）は、複数のプロジェクター装置をグループ化操作する際のコンピューター画面の一例であり、（ｃ）は、複数のプロジェクター装置をグループ化操作した後のコンピューター画面の一例である。
【図３】プロジェクター装置の制御構成を示すブロック図である。
【図４】プロジェクター装置の接続処理を示すフローチャートである。
【図５】（ａ）は、図４のＣＡＳＥ１における装置間の接続動作を示す図であり、（ｂ）は、図４のＣＡＳＥ２における装置間の接続動作を示す図であり、（ｃ）は、図４のＣＡＳＥ３における装置間の接続動作を示す図であり、（ｄ）は、図４のＣＡＳＥ４における装置間の接続動作を示す図である。
【図６】プロジェクター装置の接続切断処理を示すフローチャートである。
【図７】プロジェクター装置のグループ情報の消去処理を示すフローチャートである。
【図８】（ａ）は、図６のＣＡＳＥ５における装置間の接続切断動作を示す図であり、（ｂ）は、図６のＣＡＳＥ６における装置間の接続切断動作を示す図であり、（ｃ）は、図６のＣＡＳＥ７における装置間の接続切断動作を示す図である。
【発明を実施するための形態】
【００２２】
以下、添付の図面を参照し、本発明の一実施形態に係るプロジェクター装置および接続
確立方法について説明する。図１は、本実施形態に係るプロジェクター装置とコンピュー
ターとの接続構成を示している。図示のように、複数のコンピューターＰＣ１，・・・，
ＰＣｎと、複数のプロジェクターＰＪ１，・・・，ＰＪｍとが、ネットワークＮＷを介し
て相互に通信可能となっている。本実施形態は、このようにネットワーク接続された状態
において、各コンピューターＰＣからの出力画像を、グループ化された複数のプロジェク
ターＰＪ（例えばプロジェクターＰＪ１，ＰＪ２，ＰＪ３）に対して同時投写すべく、任
意のコンピューターＰＣと当該複数のプロジェクターＰＪとの接続を確立するものである
。
【００２３】
ネットワーク接続された複数のコンピューターＰＣ１，・・・，ＰＣｎと、複数のプロ
ジェクターＰＪ１，・・・，ＰＪｍは、各々に装置ＩＤが付され（例えば、コンピュータ
ーＰＣ１には装置ＩＤ「ＰＣ１」が、プロジェクターＰＪ１には装置ＩＤ「ＰＪ１」が、
それぞれ付されている）、各装置が、ネットワーク接続された装置のＩＤを記憶しており
、装置ＩＤによって相互に装置を認識する。なお、ネットワークＮＷは、インターネット
やローカルエリアネットワークを介したものが考えられ、接続の形態は、無線の通信回線
でも良いし、ケーブル等を使用した有線の通信回線でも良い。また、本実施形態では、装
置名と装置ＩＤとを同じものとしたが、装置名と装置ＩＤを異なるものとしても良い。
【００２４】
コンピューターＰＣは、一般的なパーソナルコンピューターを適用可能であり、制御部
（図示省略）、記憶部（図示省略）、ディスプレイ１、キーボード２およびマウス（図示
省略）を備え、ネットワーク・インターフェース（図示省略）を介してネットワークＮＷ
に接続されている。
【００２５】
図２は、ネットワーク接続されたプロジェクターＰＪが検索された際の、任意のコンピ
ューターＰＣの画面の一例である。コンピューターＰＣと投写させるプロジェクターＰＪ
との接続を確立させたい場合、使用者は、コンピューターＰＣの画面上で所望のプロジェ
クターＰＪ（ＰＪ１）を選択し、接続ボタン３をクリックすることにより、接続操作を実
行する（同図（ａ）参照）。コンピューターＰＣは、使用者のキーボード２およびマウス
操作に応じて制御部によりネットワークＮＷ上にある複数のプロジェクターＰＪ１，・・
・，ＰＪｍの中から、投写させたいプロジェクターＰＪ１の装置ＩＤ「ＰＪ１」を検索し
、プロジェクターＰＪ１に自身の装置ＩＤ「ＰＣ１」および接続要求を送信する。そして
、プロジェクターＰＪ１から装置ＩＤ「ＰＪ１」および接続完了通知を受信することによ
り、コンピューターＰＣ（ＰＣ１）とプロジェクターＰＪ１の接続が確立する（図５（ａ
）参照）。その後、コンピューターＰＣは、使用者のキーボード２およびマウス操作（接
続操作）に応じて記憶部に記憶した画像データをプロジェクターＰＪ１に送信し、プロジ
ェクターＰＪ１により画像が投写される。
【００２６】
一方、コンピューターＰＣからの出力画像を、複数のプロジェクターＰＪ（例えばＰＪ
１，ＰＪ２，ＰＪ３）に投写させたい場合、使用者は、コンピューターＰＣの画面上でプ
ロジェクターＰＪ１、ＰＪ２、ＰＪ３を選択し、グループ化ボタン４をクリックする（図
２（ｂ）参照）。グループ化ボタン４がクリックされると、コンピューターＰＣは、選択
されたプロジェクターＰＪ１、ＰＪ２、ＰＪ３の装置ＩＤ「ＰＪ１」、「ＰＪ２」、「Ｐ
Ｊ３」を検索し、検索した装置ＩＤにグループＩＤ「Ａ」を付して記憶する（グループ化
）。画面上では、接続プロジェクターリスト内に、グループ化されたプロジェクター名が
グループＩＤ「Ａ」と共に表示される（図２（ｃ）参照）。
【００２７】
その後、使用者により接続ボタン３がクリックされると、コンピューターＰＣは、グル
ープ化したプロジェクターＰＪ１，ＰＪ２，ＰＪ３に、自身の装置ＩＤ「ＰＣ１」と接続
要求とをそれぞれ送信する。そして、プロジェクターＰＪ１，ＰＪ２，ＰＪ３から装置Ｉ
Ｄ「ＰＪ１」，「ＰＪ２」，「ＰＪ３」および接続完了通知を受信して、コンピューター
ＰＣ（ＰＣ１）とプロジェクターＰＪ１，ＰＪ２，ＰＪ３の接続が確立する（図５（ｂ）
参照）。その後、コンピューターＰＣは、使用者のキーボード２およびマウス操作（グル
ープ化操作）に応じて記憶部に記憶した画像データをプロジェクターＰＪ１，ＰＪ２，Ｐ
Ｊ３に送信し、プロジェクターＰＪ１，ＰＪ２，ＰＪ３により画像が投写される。
【００２８】
なお、コンピューターＰＣは、複数のプロジェクターＰＪに接続要求を送信する場合、
自身の装置ＩＤおよび接続要求と共に、全てのプロジェクターＰＪに対して、接続要求し
た全てのプロジェクターＰＪの装置ＩＤを送信する。また、全てのプロジェクターＰＪに
対し、装置ＩＤにグループＩＤを付して送信しても良い。
【００２９】
ところで本実施形態では、上記の接続要求に続いて、別のコンピューターＰＣからの出
力画像を、複数のプロジェクターＰＪ（例えばＰＪ１，ＰＪ２，ＰＪ３）に投写させたい
場合、上記の接続要求とは異なり、複数のプロジェクターＰＪのうちいずれか１のプロジ
ェクターのみに接続要求を行うだけで良い。当該処理については、後に詳述する。
【００３０】
一方、コンピューターＰＣとプロジェクターＰＪとの接続を切断する場合、使用者は、
コンピューターＰＣの画面上の接続切断ボタン（図示省略）をクリックすることで、切断
操作を実行する。コンピューターＰＣは、使用者のキーボード２およびマウス操作（切断
操作）に応じて、制御部により、接続状態にあるプロジェクターＰＪに対して、自身の装
置ＩＤおよび接続切断要求を送信する。そして、プロジェクターＰＪから装置ＩＤ「ＰＪ
１」および切断完了通知を受信することにより、コンピューターＰＣ（ＰＣ１）とプロジ
ェクターＰＪ（ＰＣ１）の切断が完了する。
【００３１】
なお、本実施形態では、複数のプロジェクターＰＪが接続状態にある場合、任意の１台
に接続切断要求を送信することで、接続状態にある全てのプロジェクターＰＪとの接続を
切断することができる。また、複数のコンピューターＰＣが接続状態にある場合、任意の
１台のコンピューターＰＣから任意の１台のプロジェクターＰＪに接続切断要求を送信す
るだけで、全てのコンピューターＰＣとプロジェクターＰＪとの接続が切断される。これ
らの処理についても、後に詳述する。
【００３２】
図３は、プロジェクターＰＪの構成を示すブロック図である。なお、複数のプロジェク
ターＰＪ１，・・・，ＰＪｍは、いずれも同様の構成を備えている（図中ではプロジェク
ターＰＪ１と表示）。同図に示すように、プロジェクターＰＪは、ネットワークＮＷ上の
自装置以外の装置と接続を確立する接続確立部９（接続確立手段）、グループ情報記憶部
１２（所定の記憶領域）、画像処理部１３、中央制御部１４、操作部１５、投写制御部１
６および投写光学系１７を備えている。
【００３３】
接続確立部９は、ネットワークＮＷ上の自装置以外の装置と通信を行う通信部１０と、
この通信を制御する通信制御部１１とを有している。
【００３４】
通信部１０は、ネットワークＮＷ上の複数のコンピューターＰＣ（ＰＣ１，・・・，Ｐ
Ｃｎ）と通信を行うＰＣ通信部２０と、自装置以外の複数のプロジェクターＰＪ（ＰＪ２
，・・・，ＰＪｍ）と通信を行うＰＪ通信部３０と、を有している。
【００３５】
ＰＣ通信部２０は、コンピューターＰＣから画像データを受信する画像データ受信部２
１と、コンピューターＰＣと接続情報を送受信するＰＣ接続要求部２２（接続要求手段）
と、切断情報を送受信するＰＣ接続切断要求部２３（接続切断要求手段）と、を有してい
る。一方、ＰＪ通信部３０は、自装置以外のプロジェクターＰＪと接続情報を送受信する
ＰＪ接続要求部３１（接続要求手段）と、切断情報を送受信するＰＪ接続切断要求部３２
（接続切断要求手段）と、を有している。なお、接続情報は、接続要求、接続完了通知お
よび装置ＩＤ、グループＩＤを含み、切断情報は、接続切断要求、切断完了通知および装
置ＩＤ、グループＩＤを含んでいる。
【００３６】
画像データ受信部２１は、コンピューターＰＣから画像データを受信し、コンピュータ
ーＰＣから出力されたＲＧＢ信号を受信するインターフェースにより実現される。
【００３７】
ＰＣ接続要求部２２は、コンピューターＰＣから送信された装置ＩＤ「ＰＣ１」および
接続要求を受信すると共に、コンピューターＰＣに対して自身の装置ＩＤ「ＰＪ１」およ
び接続完了通知を送信する。また、コンピューターＰＣが複数のプロジェクターＰＪ（例
えばＰＪ１、ＰＪ２、ＰＪ３）をグループ化して接続要求を送信している場合、ＰＣ接続
要求部２２は、グループ化されたプロジェクターＰＪの装置ＩＤ「ＰＪ１」、「ＰＪ２」
、「ＰＪ３」も受信する。
【００３８】
ＰＣ接続切断要求部２３は、コンピューターＰＣから送信された装置ＩＤ「ＰＣ１」お
よび接続切断要求を受信すると共に、コンピューターＰＣに対して自身の装置ＩＤ「ＰＪ
１」および切断完了通知を送信する。また、ＰＣ接続切断要求部２３は、後述する通信制
御部１１からの指令に基づいて、接続状態にある他のコンピューターＰＣ（例えばＰＣ２
）に対して、装置ＩＤ「ＰＪ１」および接続切断要求を送信する。
【００３９】
ＰＪ接続要求部３１は、ＰＣ接続要求部２２により、コンピューターＰＣから接続要求
と共に複数のプロジェクターＰＪの装置ＩＤを受信した場合、通信制御部１１の指令に基
づいて、ＩＤを受信した自装置以外のプロジェクターＰＪ（ＰＪ２、ＰＪ３）に対し、コ
ンピューターＰＣの装置ＩＤ「ＰＣ１」および接続要求を送信する。反対に、自装置以外
のプロジェクターＰＪから、コンピューターＰＣの装置ＩＤ「ＰＣ１」および接続要求を
受信すると、ＰＪ接続要求部３１は、受信した装置ＩＤ「ＩＤ」に対応するコンピュータ
ーＰＣ１に自身の装置ＩＤおよび接続完了通知を送信する。
【００４０】
ＰＪ接続切断要求部３２は、後述する通信制御部１１からの指令に基づいて、自装置以
外のプロジェクターＰＪ（ＰＪ２、ＰＪ３）に対して、コンピューターＰＣの装置ＩＤ「
ＰＣ１」および接続切断要求を送信する。反対に、自装置以外のプロジェクターＰＪから
、コンピューターＰＣの装置ＩＤ「ＰＣ１」および接続切断要求を受信すると、ＰＪ接続
切断要求部３２は、受信した装置ＩＤに対応するコンピューターＰＣ１に自身の装置ＩＤ
および切断完了通知を送信する。
【００４１】
通信制御部１１は、ＰＣ接続要求部２２によりコンピューターＰＣから自装置以外のプ
ロジェクターＰＪの装置ＩＤが受信されたか否かを判別する接続要求判別部４１（接続要
求判別手段）と、ＰＣ接続要求部２２によりコンピューターＰＣから受信した装置ＩＤか
らグループ情報を生成するグループ情報生成部４２と、後述するグループ情報記憶部１２
にグループ情報が記憶されているかを判別するグループ情報判別部４３と、を有している
。また、グループ情報判別部４３は、グループ情報に複数のコンピューターＰＣの装置Ｉ
Ｄが含まれているか、および否かも判別する。これは、任意のコンピューターＰＣから接
続切断要求を受けた際、接続状態にある全てのコンピューターＰＣおよびプロジェクター
ＰＪに対して接続切断要求を行うためである。
【００４２】
グループ情報生成部４２は、ＰＣ接続要求部２２によりコンピューターＰＣから装置Ｉ
Ｄを受信した場合であって、受信した装置ＩＤに自装置以外のプロジェクターＰＪの装置
ＩＤが含まれていた場合、コンピューターＰＣの装置ＩＤ「ＰＣ１）と、自装置以外のプ
ロジェクターＰＪ（例えばＰＪ２、ＰＪ３）の装置ＩＤ「ＰＪ２」、「ＰＪ３」と、自装
置の装置ＩＤ「ＰＪ１」と、にグループＩＤ「Ａ」を付してグループ化し、グループ情報
「グループＡ：ＰＣ１，ＰＪ１，ＰＪ２，ＰＪ３」を生成する。また、グループ情報生成
部４２は、さらにＰＣ接続要求部２２により他のコンピューターＰＣから装置ＩＤを受信
すると、生成したクループ情報に、当該他のコンピューターＰＣの装置ＩＤ「ＰＣ２」を
グループ情報に追加する。この場合、グループ情報は、「グループＡ：ＰＣ１，ＰＣ２，
ＰＪ１，ＰＪ２，ＰＪ３」となる。
【００４３】
なお、グループ情報生成部４２は、グループ情報がグループ情報記憶部１２に記憶され
ていない場合に限り、グループ情報を生成する。つまり、本実施形態においてグループ情
報記憶部１２は、複数のグループ情報を記憶できないようになっている。また、グループ
情報がグループ情報記憶部１２に記憶されていない場合でも、ＰＣ接続要求部２２により
コンピューターＰＣから受信した装置ＩＤに自装置以外のプロジェクターＰＪの装置ＩＤ
が含まれてなかった場合、グループ情報を生成しない。
【００４４】
グループ情報記憶部１２は、グループ情報生成部４２によって生成されたグループ情報
を書き換え可能に記憶する。なお、グループ情報記憶部１２に記憶されたグループ情報は
、ＰＣ接続切断要求部２３およびＰＪ接続切断要求部３２から接続切断要求を受信した時
点で、消去されるようになっている。
【００４５】
中央制御部１４は、プロジェクターＰＪの全体を統括制御する。操作部１５は、ユーザ
ーが各種設定および操作を行うためのものであり、プロジェクターＰＪ本体に備えられた
操作パネルやリモコン（いずれも図示省略）により実現される。
【００４６】
画像処理部１３は、画像データ受信部２１により受信した画像データに対し、予め記憶
されている画像処理プログラムに基づいて、所定の画像処理を実行する。所定の画像処理
としては、キーストーン歪補正処理、画質調整処理、画像サイズ調整処理、ガンマ補正処
理、画像合成処理等を行う。
【００４７】
投写制御部１６は、画像処理部１３により処理された画像を、後述する液晶ライトバル
ブ５４の各画素に対応する階調値を導出することにより、全画素の階調値からなる画像デ
ータを生成し、当該画像データに基づいて投写制御を行う。
【００４８】
投写光学系１７は、スクリーンＳＣ上に、画像を投写するものであり、ライトバルブ駆
動部５１と、ランプ駆動部５２と、光源部５３と、３原色に対応した液晶ライトバルブ５
４（５４Ｒ，５４Ｇ，５４Ｂ）と、投写レンズ５５と、を有する。各液晶ライトバルブ５
４は、一対の透明基板間に液晶が封入された液晶パネル等によって構成される。各透明基
板の内面には、液晶に対して微小領域毎に駆動電圧を印加可能な透明電極が、画素として
マトリクス状に形成されている。ライトバルブ駆動部５１は、液晶ライトバルブ５４の各
画素に、画像データに応じた駆動電圧を印加することにより、各画素の光透過率を設定す
る。つまり、光源部５３から射出された照明光は、不図示の光分離光学系によって、Ｒ，
Ｇ，Ｂの色光に分離された後、各色用の液晶ライトバルブ５４を透過することによって変
調される。また、変調された画像光は、不図示の光合成光学系（ダイクロイックプリズム
など）により画素毎に合成されてカラー画像化され、当該カラー画像化された画像光が投
写レンズ５５によって投写されることにより、スクリーンＳＣ上にカラー画像が写し出さ
れる。なお、光源部５３としては、超高圧水銀ランプ、メタルハライドランプ、キセノン
ランプ等を採用可能である。また、これら放電発光型のランプに限らず、発光ダイオード
、有機ＥＬ素子、シリコン発光素子、レーザーダイオード等の各種自己発光素子を採用し
ても良い。
【００４９】
次に、図４を参照し、プロジェクターＰＪ（ＰＪ１）の接続処理（接続確立方法）につ
いて説明する。プロジェクターＰＪ（通信制御部１１）は、ＰＣ接続要求部２２により、
任意のコンピューターＰＣ（ＰＣ１）から装置ＩＤおよび接続要求を受信すると（Ｓ０１
）、接続要求を受信したコンピューターＰＣ１に対して自身の装置ＩＤおよび接続完了通
知を送信する（Ｓ０２）。続いて、グループ情報判別部４３によりグループ情報記憶部１
２にグループ情報が記憶されているか否かを判別する（Ｓ０３）。
【００５０】
グループ情報が記憶されていない場合（Ｓ０３；ＮＯ）、さらに、接続要求判別手段４
１により、コンピューターＰＣ１から自装置以外のプロジェクターＰＪの装置ＩＤが受信
されたか否かを判別する（Ｓ０４）。自装置以外のプロジェクターＰＪの装置ＩＤが受信
されなかった場合（Ｓ０４；ＮＯ）、接続処理を終了する（Ｓ０５）。これまで辿ったフ
ローをＣＡＳＥ１とする（図５（ａ）参照）。
【００５１】
一方、コンピューターＰＣ１から自装置以外のプロジェクターＰＪの装置ＩＤ（例えば
「ＰＪ２」、「ＰＪ３」）が受信された場合（Ｓ０４；ＹＥＳ）、グループ情報生成部４
２により、コンピューターＰＣ１とプロジェクターＰＪ１、ＰＪ２と自装置の装置ＩＤに
グループＩＤ「Ａ」を付して、グループ情報「グループＡ：ＰＣ１、ＰＪ１、ＰＪ２、Ｐ
Ｊ３」を生成し、グループ情報記憶部１２に記憶して（Ｓ０６）、接続処理を終了する（
Ｓ０５）。これまで辿ったフローをＣＡＳＥ２とする（図５（ｂ）参照）。
【００５２】
グループ情報が記憶されていた場合（Ｓ０３；ＹＥＳ）、グループ情報生成部４２によ
り、記憶されていたグループ情報にコンピューターＰＣ１の装置ＩＤを加える（Ｓ０７）
。さらに、接続要求判別手段４１により、コンピューターＰＣ１から自装置以外のプロジ
ェクターＰＪの装置ＩＤが受信されたか否かを判別する（Ｓ０８）。自装置以外のプロジ
ェクターＰＪの装置ＩＤが受信されなかった場合（Ｓ０８；ＮＯ）、グループ情報に含ま
れた全ての装置ＩＤに対応する自装置以外のプロジェクターＰＪ２、ＰＪ３に対して、コ
ンピューターＰＣ１の装置ＩＤと接続要求を送信し（Ｓ０９）、接続処理を終了する（Ｓ
０５）。これまで辿ったフローをＣＡＳＥ３とする（図５（ｃ）参照）。
【００５３】
一方、コンピューターＰＣ１から自装置以外のプロジェクターＰＪの装置ＩＤ（例えば
「ＰＪ２」）が受信された場合（Ｓ０８；ＹＥＳ）、受信した装置ＩＤに対応するプロジ
ェクターＰＪ２を除くプロジェクターＰＪ３に対してのみ、コンピューターＰＣ１の装置
ＩＤと接続要求を送信し（Ｓ１０）、接続処理を終了する（Ｓ０５）。これまで辿ったフ
ローをＣＡＳＥ４とする（図５（ｄ）参照）。
【００５４】
続いて、図５を参照し、コンピューターＰＣ１とプロジェクターＰＪ１、ＰＪ２および
ＰＪ３との間の接続動作について説明する。同図は、図４のＣＡＳＥ１、ＣＡＳＥ２、Ｃ
ＡＳＥ３およびＣＡＳＥ４における各装置の動作を示している。また、図中において、実
線で示された矢印は「接続要求」を、点線で示された矢印は「接続完了通知」を示してい
る。
【００５５】
図５（ａ）に示すように、グループ情報が記憶されていない場合、ＣＡＳＥ１において
、コンピューターＰＣ１からプロジェクターＰＪ１に装置ＩＤ「ＰＣ１」および接続要求
が送信されると、プロジェクターＰＪ１は、コンピューターＰＣ１に装置ＩＤ「ＰＪ１」
および接続完了通知を送信する。また、図５（ｂ）に示すように、ＣＡＳＥ２において、
コンピューターＰＣ１から、プロジェクターＰＪ１、ＰＪ２およびＰＪ３に装置ＩＤ「Ｐ
Ｃ１）、「ＰＪ１」、「ＰＪ２」、「ＰＪ３」および接続要求が送信された場合、プロジ
ェクターＰＪ１、ＰＪ２およびＰＪ３は、それぞれコンピューターＰＣ１に自装置の装置
ＩＤおよび接続完了通知を送信する。このとき、プロジェクターＰＪ１、ＰＪ２およびＰ
Ｊ３では、「グループＡ：ＰＣ１、ＰＪ１、ＰＪ２、ＰＪ３」というグループ情報が生成
・記憶される。
【００５６】
また、図５（ｃ）に示すように、グループ情報「グループＡ：ＰＣ１、ＰＪ１、ＰＪ２
、ＰＪ３」が記憶されている場合、ＣＡＳＥ３において、コンピューターＰＣ１からプロ
ジェクターＰＪ１に装置ＩＤ「ＰＣ１」および接続要求が送信された場合、プロジェクタ
ーＰＪ１は、コンピューターＰＣ１に装置ＩＤ「ＰＪ１」および接続完了通知を送信する
と共に、グループに属しているプロジェクターＰＪ２およびＰＪ３に対して、装置ＩＤ「
ＰＣ１」および接続要求を送信する。プロジェクターＰＪ１から装置ＩＤ「ＰＣ１」およ
び接続要求を受けたプロジェクターＰＪ２およびＰＪ３は、それぞれコンピューターＰＣ
１に対して装置ＩＤ「ＰＪ２」または「ＰＪ３」および接続完了通知をそれぞれ送信する
。
【００５７】
これは、ＣＡＳＥ２において、グループ情報が生成された後、他のコンピューターＰＣ
（例えばＰＣ２）が、プロジェクターＰＪ１に接続要求を送信した場合のフローと同様と
なる。すなわち、２台目以降に接続したコンピューターＰＣは、グループ内の任意の１台
のプロジェクターＰＪ（例えばＰＪ１）のみに接続要求を行えば、グループ内の全てのプ
ロジェクターＰＪ（例えばＰＪ２、ＰＪ３）に接続することができる。
【００５８】
図５（ｄ）に示すように、ＣＡＳＥ４において、コンピューターＰＣ１からプロジェク
ターＰＪ１、ＰＪ２に装置ＩＤ「ＰＣ１）、「ＰＪ１」、「ＰＪ２」および接続要求が送
信された場合、プロジェクターＰＪ１は、コンピューターＰＣ１に装置ＩＤ「ＰＣ１」お
よび接続完了通知を送信すると共に、コンピューターＰＣ１から装置ＩＤが送信されたプ
ロジェクターＰＪ２には接続要求を送信せず、装置ＩＤが送信されなかったプロジェクタ
ーＰＪ３に対してのみ、装置ＩＤ「ＰＣ１」および接続要求を送信する。同様に、プロジ
ェクターＰＪ２は、コンピューターＰＣ１に装置ＩＤ「ＰＪ２」および接続完了通知を送
信すると共に、コンピューターＰＣ１から装置ＩＤが送信されたプロジェクターＰＪ１に
は接続要求を送信せず、装置ＩＤが送信されなかったプロジェクターＰＪ３に対してのみ
、装置ＩＤ「ＰＣ１」および接続要求を送信する。このように、プロジェクターＰＪ１お
よびプロジェクターＰＪ２に対する重複した接続要求を防ぐことができる。
【００５９】
しかし、この場合プロジェクターＰＪ３に対する他のプロジェクターＰＪ（ＰＪ１、Ｐ
Ｊ２）からの接続要求が重複するため、グループ内のプロジェクターＰＪに優先順位を付
けて、グループ情報が記憶されている場合であって、コンピューターＰＣから同時に複数
のプロジェクターＰＪに接続要求が送信された場合、優先順位の高いプロジェクターＰＪ
からのみ、他のプロジェクターＰＪに対して接続要求を送信するようにしても良い。
【００６０】
次に、図６を参照して、プロジェクターＰＪ（ＰＪ１）の接続切断処理について説明す
る。プロジェクターＰＪ１（通信制御部１１）は、ＰＣ接続切断要求部２３により、任意
のコンピューターＰＣ（ＰＣ１）から装置ＩＤおよび接続切断要求を受信すると（Ｓ１１
）、切断要求を受信したコンピューターＰＣ１に対して自身の装置ＩＤおよび接続完了通
知を送信する（Ｓ１２）。続いて、グループ情報判別部４３によりグループ情報記憶部１
２にグループ情報が記憶されているか否かを判別する（Ｓ１３）。グループ情報が記憶さ
れていなかった場合（Ｓ１３；ＮＯ）、切断処理を終了する（Ｓ１４）。これまで辿った
フローをＣＡＳＥ５とする（図８（ａ）参照）。
【００６１】
一方、グループ情報が記憶されていた場合（Ｓ１３；ＹＥＳ）、さらに、グループ情報
判別部４３により、グループ情報内に複数のコンピューターＰＣの装置ＩＤが含まれてい
るか否かを判別する（Ｓ１５）。複数のコンピューターＰＣの装置ＩＤが含まれていない
場合（Ｓ１５；ＮＯ）、グループ情報に含まれた全ての装置ＩＤに対応する自装置以外の
プロジェクターＰＪ２、ＰＪ３に対して、コンピューターＰＣ１の装置ＩＤと接続切断要
求を送信し（Ｓ１６）、グループ情報記憶部１２に記憶したグループ情報を消去して（Ｓ
１７）、切断処理を終了する（Ｓ１４）。これまで辿ったフローをＣＡＳＥ６とする（図
８（ｂ）参照）。
【００６２】
グループ情報内に複数のコンピューターＰＣの装置ＩＤが含まれていた場合（Ｓ１５；
ＹＥＳ）、切断要求を受信したコンピューターＰＣ１以外のコンピューターＰＣ２に対し
て、自身の装置ＩＤと接続切断要求を送信する（Ｓ１８）。そして、グループ情報に含ま
れている全ての装置ＩＤに対応する自装置以外のプロジェクターＰＪ２、ＰＪ３に対して
、コンピューターＰＣ１の装置ＩＤと接続切断要求を送信し（Ｓ１６）、グループ情報記
憶部１２に記憶したグループ情報を消去して（Ｓ１７）、切断処理を終了する（Ｓ１４）
。これまで辿ったフローをＣＡＳＥ７とする（図８（ｃ）参照）。
【００６３】
一方、図７に示すように、プロジェクターＰＪ（通信制御部１１）は、自装置以外のプ
ロジェクターＰＪから装置ＩＤ（例えば「ＰＣ１」、「ＰＣ２」）および接続切断要求を
受信すると（Ｓ１９）、受信した装置ＩＤに対応する全てのコンピューターＰＣ（ＰＣ１
，ＰＣ２）に対して、自身の装置ＩＤおよび切断完了通知を送信する（Ｓ２０）。そして
、グループ情報記憶部１２に記憶したグループ情報を消去して（Ｓ２１）、切断処理を終
了する（Ｓ２２）。
【００６４】
続いて、図８を参照し、コンピューターＰＣ１、ＰＣ２とプロジェクターＰＪ１、ＰＪ
２およびＰＪ３との間の切断動作について説明する。同図は、ＣＡＳＥ５、ＣＡＳＥ６お
よびＣＡＳＥ７における各装置の動作を示している。また、図中において、実線で示され
た矢印は「接続切断要求」を、点線で示された矢印は「切断完了通知」を示している。
【００６５】
図８（ａ）に示すように、グループ情報が記憶されていない場合、ＣＡＳＥ５において
、コンピューターＰＣ１からプロジェクターＰＪ１に装置ＩＤ「ＰＣ１」および接続切断
要求が送信されると、プロジェクターＰＪ１は、コンピューターＰＣ１に装置ＩＤ「ＰＪ
１」および切断完了通知を送信する。
【００６６】
図８（ｂ）に示すように、グループ情報が記憶されている場合であって、グループ情報
に複数のコンピューターＰＣのＩＤが含まれていなかった場合（例えば、グループ情報「
グループＡ：ＰＣ１、ＰＪ１、ＰＪ２、ＰＪ３」）、ＣＡＳＥ６において、コンピュータ
ーＰＣ１からプロジェクターＰＪ１に装置ＩＤ「ＰＣ１」および接続切断要求が送信され
ると、プロジェクターＰＪ１は、コンピューターＰＣ１に対して装置ＩＤ「ＰＣ１」およ
び切断完了通知を送信すると共に、プロジェクターＰＪ２およびＰＪ３に対して、装置Ｉ
Ｄ「ＰＣ１」および接続切断要求を送信する。装置ＩＤ「ＰＣ１」および接続切断要求を
受けたプロジェクターＰＪ２およびＰＪ３は、それぞれコンピューターＰＣ１に対して装
置ＩＤ「ＰＣ２」または「ＰＪ３」および切断完了通知を送信する。
【００６７】
一方、図８（ｃ）に示すように、グループ情報に複数のコンピューターＰＣの装置ＩＤ
が含まれていた場合（例えば、グループ情報「グループＡ：ＰＣ１、、ＰＣ２、ＰＪ１、
ＰＪ２、ＰＪ３」）、ＣＡＳＥ７において、コンピューターＰＣ１からプロジェクターＰ
Ｊ１に装置ＩＤ「ＰＣ１」および接続切断要求が送信されると、プロジェクターＰＪ１は
、コンピューターＰＣ１に装置ＩＤ「ＰＪ１」および切断完了通知を送信すると共に、接
続切断要求を受けていないコンピューターＰＣ２に対して、装置ＩＤ「ＰＪ１」および接
続切断要求を送信する。装置ＩＤ「ＰＪ１」および接続切断要求を受信したコンピュータ
ーＰＣ２は、プロジェクターＰＪ１に対して、切断完了通知を送信する。また、プロジェ
クターＰＪ１は、プロジェクターＰＪ２およびＰＪ３に対して装置ＩＤ「ＰＣ１」、「Ｐ
Ｃ２」および接続切断要求を送信する。装置ＩＤ「ＰＣ１」、「ＰＣ２」および接続切断
要求を受信したプロジェクターＰＪ２およびＰＪ３は、コンピューターＰＣ１、ＰＣ２に
対して装置ＩＤ「ＰＪ２」または「ＰＪ３」および切断完了通知をそれぞれ送信する。
【００６８】
このように、プロジェクターＰＪにグループ情報が記憶され、複数のコンピューターＰ
Ｃと複数のプロジェクターＰＪが接続状態にある場合、任意の１台のコンピューターＰＣ
から、任意の１台のプロジェクターＰＪに接続切断要求を送信すれば、グループ内の全て
の装置間の接続を切断することができる。
【００６９】
以上、これまで、説明してきたプロジェクターＰＪおよびコンピューターＰＣと複数の
プロジェクターＰＪとの接続確立方法によれば、各プロジェクターＰＪが、グループ情報
として、グループ内の複数のプロジェクターＰＪおよびコンピューターＰＣの装置ＩＤを
記憶しておくため、コンピューターＰＣは、グループ内の任意の１台のプロジェクターＰ
Ｊに接続要求を送信すれば、当該任意のプロジェクターＰＪが、記憶している装置ＩＤを
参照し、コンピューターＰＣの代わりに自装置以外のプロジェクターＰＪに接続要求を送
信するため、容易に接続を確立することができる。特に複数のコンピューターＰＣが、ネ
ットワークＮＷ上で複数のプロジェクターＰＪに接続させたい場合に、容易に接続を確立
することができ、利便性が良い。
【００７０】
なお、上記の実施形態では、１台目のコンピューターＰＣは各プロジェクターＰＪに対
して接続要求を行う必要があるとしたが、予め各プロジェクターＰＪにグループ情報を記
憶させておく構成としても良い。この構成によれば、コンピューターＰＣから、グループ
化させる各プロジェクターＰＪに対して接続要求を行う必要がなく、１台目のコンピュー
ターＰＣから、簡単にグループ化された複数のプロジェクターＰＪに接続することができ
る。さらに、１台のプロジェクターＰＪにグループ情報を記憶させておき、当該プロジェ
クターＰＪが任意のコンピューターＰＣから接続要求を受信した際に、当該プロジェクタ
ーＰＪが自装置以外のプロジェクターＰＪにグループ情報を送信する構成にすれば、グル
ープ情報を記憶させておくプロジェクターＰＪは１台で済むため、接続をより簡単にする
ことができる。
【００７１】
また、上記の実施形態では、コンピューターＰＣ１からプロジェクターＰＪ１に接続切
断要求を行った場合、プロジェクターＰＪ１がグループ内の全てのコンピューターＰＣお
よびプロジェクターＰＪに対して接続切断要求を行うとしたが、コンピューターＰＣ１に
よる切断動作に伴い、コンピューターＰＣ１からグループ内の全コンピューターＰＣとプ
ロジェクターＰＪ１に接続切断要求を出し、プロジェクターＰＪ１はグループ内の自装置
以外のプロジェクターＰＪに対して接続切断要求を出すようにしても良い。
【００７２】
なお、最初に接続を確立したコンピューターＰＣとプロジェクターＰＪとをメインのコ
ンピューターＰＣとプロジェクターＰＪとし、後から接続を確立したコンピューターＰＣ
とプロジェクターＰＪと区別して記憶しても良い。この構成によれば、メインのコンピュ
ーターＰＣから切断要求を行った場合のみ、グループ内の全ての接続を解除するような構
成としたり、メインのプロジェクターＰＪに接続要求を行った場合のみ、グループ内の全
てのプロジェクターＰＪとの接続を確立するような構成とすることで、メインのコンピュ
ーターＰＣおよびプロジェルターＰＪにより装置間の接続状態を管理することができる。
【００７３】
また、上記の実施形態に示したプロジェクターＰＪの各構成要素をプログラムとして提
供することが可能である。また、そのプログラムを各種記録媒体（ＣＤ−ＲＯＭ、フラッ
シュメモリ等）に格納して提供することも可能である。すなわち、コンピューターを、プ
ロジェクターＰＪの各構成要素として機能させるためのプログラム、およびそれを記録し
た記録媒体も、本発明の権利範囲に含まれるものである。
【００７４】
また、上記の実施形態では、透過型液晶表示方式を採用しているが、反射型液晶表示方
式、ＣＲＴ表示方式やライトスイッチ表示方式（マイクロミラーデバイス方式）など、プ
ロジェクターＰＪの表示原理は問わない。その他、本発明の要旨を逸脱しない範囲で、適
宜変更が可能である。
【符号の説明】
【００７５】
９：接続確立部  １０：通信部  １１：通信制御部  １２：グループ情報記憶部  ２２
：ＰＣ接続要求部  ２３：ＰＣ接続切断要求部  ３１：ＰＪ接続要求部  ３２：ＰＪ接続
切断要求部  ４１：接続要求判別手段  ４２：グループ情報生成部  ４３：グループ情報
判別部  ＮＷ：ネットワーク  ＰＣ：コンピューター  ＰＪ：プロジェクター
【図１】
0005402775.tif 000002
【図２】
0005402775.tif 000003
【図３】
0005402775.tif 000004
【図４】
0005402775.tif 000005
【図５】
0005402775.tif 000006
【図６】
0005402775.tif 000007
【図７】
0005402775.tif 000008
【図８】
0005402775.tif 000009